(57)【要約】【課題】自動オフ後にリモコンから信号を送信してカメラ本体の電源をオンさせることにより、利便性を向上し電力の消費を抑制することができるカメラシステム及びカメラ本体を提供すること。【解決手段】カメラシステム１はリモコン２とカメラ本体３とからなり、リモコン２はカメラ本体３の電源をオンさせるパワーオン信号を送信する。カメラ本体３は、自動オフ後の一定時間内にパワーオン信号を受信した場合、オン状態となる。【選択図】　図１
2004138903.tif 000002
【特許請求の範囲】
【請求項１】
所定時間操作が行われないことにより自動的にオフ状態なる自動オフ機能を有するカメラ本体と、前記カメラ本体に所定の処理を行わせるための信号を送信するリモコンとを備えたカメラシステムにおいて、
前記カメラ本体は、前記自動オフとなった後に、前記リモコンからパワーオン信号を受信することにより前記オフ状態からオン状態となること、
を特徴とするカメラシステム。
【請求項２】
前記カメラ本体は、前記自動オフ後の一定時間においてのみ前記パワーオン信号を受信可能であることを特徴とする請求項１に記載のカメラシステム。
【請求項３】
前記カメラ本体は、前記リモコンからの前記パワーオン信号を受信する受信部を備え、前記自動オフ後の前記一定時間中においても前記受信部に給電することにより、前記パワーオン信号を受信可能としたことを特徴とする請求項２記載のカメラシステム。
【発明の詳細な説明】
【０００１】
【発明の属する技術分野】
本発明は、リモコンにより遠隔操作可能なカメラシステムに関するものである。
【０００２】
【従来の技術】
従来、所定時間操作されないことにより電源を自動的にオフする自動電源オフ機能を有するカメラが知られている。このカメラでは、自動電源オフ後において電力の消費を抑制しカメラの電池の長寿命化を図っている。しかし、自動電源オフ機能を備えたカメラにおいて、リモコン撮影を行う際に、リモコンにより撮影操作する前に自動電源オフしてしまう場合がある。この場合、撮影者はカメラ本体の電源をオンするためにカメラ本体の位置まで移動し、カメラ本体をオン状態とする必要があり非常に煩わしいという問題があった。
【０００３】
そこで、特開平９−９０４５３号公報に示されるように、所定のスイッチをオンした場合には、自動電源オフさせないようにするカメラが提案されている。これにより、リモコン撮影を行う際に自動的に電源がオフしてしまうことを防止することができる。
【０００４】
【特許文献１】
特開平９−９０４５３号公報
【０００５】
【発明が解決しようとする課題】
しかし、上述した公報に示されるカメラでは、リモコン撮影の際において自動電源オフを防止することができるものの、自動電源オフ機能を停止させる為、電力の消費が多大なものとなるおそれがある。例えば、リモコン撮影を行う際に、何らかの理由により撮影操作が行われない場合、カメラ本体は継続して電源オン状態となり、バッテリの消費量が多大なものとなる。
【０００６】
そこで本発明は、このような問題点を解消する為になされたものであり、電力消費を低減しつつ使用の利便性の向上が図れるカメラシステムを提供することを目的とする。
【０００７】
【課題を解決するための手段】
このような目的を達成するために、本発明に係るカメラシステムは、所定時間操作が行われないことにより自動的にオフ状態なる自動オフ機能を有するカメラ本体と、カメラ本体に所定の処理を行わせるための信号を送信するリモコンとを備えたカメラシステムにおいて、カメラ本体は、自動オフとなった後に、リモコンからパワーオン信号を受信することによりオフ状態からオン状態となることを特徴とする。
【０００８】
また、本発明に係るカメラシステムでは、カメラ本体は、自動オフ後の一定時間においてのみパワーオン信号を受信可能であるとことを特徴とする。
【０００９】
また、本発明に係るカメラシステムでは、カメラ本体がリモコンからのパワーオン信号を受信する受信部を備え、自動オフ後の一定時間中においても受信部に給電することによりパワーオン信号を受信可能としたことを特徴とする。
【００１０】
これらの発明によれば、カメラ本体は、自動オフ機能を有しているので、操作されないままオン状態で長時間放置されることがない。また、カメラ本体は自動オフ後にリモコンからの信号の一つであるパワーオン信号を受信可能であるので、たとえリモコン撮影の際に自動的にオフ状態となってしまっても、撮影者はリモコンを操作することによりカメラ本体をオン状態とすることができる。このため、カメラ本体の位置まで移動してオン状態にするという煩雑な作業が不要である。従って、カメラ本体の省電力化が図れると共に、その利便性の向上が図れる。
【００１１】
【発明の実施の形態】
以下、添付図面に基づき、本発明の実施形態について説明する。なお、図面の寸法比率は、説明のものと必ずしも一致していない。また、各図において同一又は相当する要素には同一符号を付して説明を省略する。
【００１２】
本実施形態に係るカメラシステムについて説明する。
【００１３】
図１は、本実施形態に係るカメラシステムの構成を示す斜視図である。図１に示すように、本実施形態に係るカメラシステム１は、リモコン２とカメラ本体３とを備えて構成され、リモコン２を操作することにより、カメラ本体３から離れた位置からカメラ本体３を遠隔操作可能となっている。
【００１４】
リモコン２は、カメラ本体３に所定の処理を行わせるための信号を無線状態で送信するものである。リモコン２から送信される信号としては、カメラ本体３にレリーズ動作を行わせるレリーズ信号や後述する自動オフ機能が働いた後にカメラ本体３の電源をオンするパワーオン信号などが挙げられる。
【００１５】
カメラ本体３は、撮影機能を有するものであり、また、所定時間操作が行われないことにより自動的に電源をオフする自動オフ機能を有するものである。このカメラ本体３は、リモコン２からの信号を受信して所定の処理を行う。例えば、レリーズ信号を受信した場合には、レリーズ動作に関する処理を行い撮影を行う。また、パワーオン信号を受信した場合には、パワーオン動作に関する処理を行い電源をオンする。
【００１６】
次に、図２及び図３を参照して、リモコン２について詳述する。図２は、リモコン２の構成を示すブロック図であり、図３は、リモコン２の外観図である。
【００１７】
図２に示すように、リモコン２には、リモコン全体の制御を行うＣＰＵ１０が設けられている。ＣＰＵ１０は、制御・演算処理のためのプログラムを予め記憶しているＲＯＭ１２、制御・演算の際に各種データを記憶するＲＡＭ１４が内蔵されている。また、ＣＰＵ１０は、基準となるクロックに基づいて秒分時、年月日のカウントアップを行う時計機能を備えている。
【００１８】
また、ＣＰＵ１０には、リモコン送信回路１６、電源回路１８、及びスイッチ群２０が接続されている。リモコン送信回路１６は、カメラ本体３に信号を送信するためのものであり、例えば、赤外線により送信を行うものである。電源回路１８は、電池等からの電力をＣＰＵ１０に供給するためのものである。スイッチ群２０は、図３に示すように、パワーオン信号送信スイッチ２０ａ及びレリーズ信号送信スイッチ２０ｂからなっている。
【００１９】
パワーオン信号送信スイッチ２０ａは、自動オフしたカメラ本体３の電源をオンするためのパワーオン信号を送信するためのものである。レリーズ信号送信スイッチ２０ｂは、カメラ本体３にレリーズ動作を行わせるレリーズ信号を送信するためのものである。
【００２０】
次に、図４を参照して、リモコン２により送信されるレリーズ信号及びパワーオン信号について説明する。図４は、リモコン２から送信される信号を説明する図であり、（ａ）はレリーズ信号を示し、（ｂ）はパワーオン信号を示している。
【００２１】
先ず、図４（ａ）を参照して、レリーズ信号について説明する。レリーズ信号は、先頭にヘッダーコードを有している。カメラ本体３は、ヘッダーコードを認識することにより、受信した信号の先頭を知ることができる。また、レリーズ信号は、ヘッダーコードの次に第１レリーズコードを有している。第１レリーズコードを受信したカメラ本体３は、レリーズ動作を行うことになる。また、レリーズ信号は第１レリーズコードの次に第２レリーズコードを有している。第２レリーズコードは、第１レリーズコードと同じであって、これを受信したカメラ本体３は、レリーズ動作を行うことになる。
【００２２】
このように、レリーズ信号は、ヘッダーコード、第１レリーズコード及び第２レリーズコードからなっている。ここで、レリーズコードが２回分設けられているのは、カメラ本体３が第１レリーズコードの受信に失敗したとしても、第２レリーズコードを受信しレリーズ動作を行えるようにするためである。
【００２３】
次に、図４（ｂ）を参照して、パワーオン信号について説明する。パワーオン信号は、先頭にヘッダーコードを有している。カメラ本体３は、ヘッダーコードを認識することにより、受信した信号の先頭を知ることができる。また、パワーオン信号は、ヘッダーコードの次に第１パワーオンコードを有している。第１パワーオンコードを受信したカメラ本体３は、パワーオン動作を行うことになる。また、パワーオン信号は第１パワーオンコードの次に第２パワーオンコードを有している。第２パワーオンコードは、第１パワーオンコードと同じであって、これを受信したカメラ本体３は、パワーオン動作を行うことになる。
【００２４】
このように、パワーオン信号は、ヘッダーコード、第１パワーオンコード及び第２パワーオンコードからなっている。ここで、パワーオンコードが２回分設けられているのは、カメラ本体３が第１パワーオンコードの受信に失敗したとしても、第２パワーオンコードを受信しパワーオン動作を行えるようにするためである。
【００２５】
なお、レリーズ信号は二つのレリーズコードを有し、パワーオン信号は二つのパワーオンコードを有しているが、各信号において一つ又は三つ以上のコードを有するものであってもよい。
【００２６】
次に、図５及び図６を参照してカメラ本体３について詳しく説明する。図５は、図１に示したカメラ本体３の構成を示すブロック図であり、図６は、図１に示したカメラ本体３の一部構成を示す図である。
【００２７】
図５に示すように、カメラ本体３には、ＲＯＭ３２及びＲＡＭ３４を内蔵するＣＰＵ３０が設けられている。これらは、リモコン２に設けられるものと同様であるため説明を省略する。また、ＣＰＵ３０には、電源回路３６、ＬＣＤ３８、ＬＥＤ群４２、デート写込部４４、リモコン受信回路４６、ストロボ回路４８、測光回路５０、ＡＦ回路５２、ＥＥＰＲＯＭ５４、スイッチ群５６、モータードライバー５８、鏡胴駆動部６０、フィルム給送部６２、及びシャッター駆動部６４が接続されている。このうち、電源回路５６については、リモコン２に設けられるものと同様であるため説明を省略する。
【００２８】
ＬＣＤ３８は、電池等の蓄電量、ＣＰＵ３０に計時されている日時、及びフィルムの残り枚数や使用枚数を表示するものである。ブザー４０は、カメラ本体３の起動等を示す報知音を発するものである。ＬＥＤ群４２は、オートフォーカス用のＬＥＤやセルフモード用のＬＥＤなどから成り、点灯及び消灯等によって、カメラ本体３の状態を示すものである。デート写込部４４は、撮影が実施された日時等をフィルムに写し込むためのものである。リモコン受信回路４６は、リモコン２からの信号を受信するものである。
【００２９】
ストロボ回路４８は、ストロボ窓内に設けられた発光体を有し、ＣＰＵ３０による制御の下、選択されたモード（ストロボ発光態様等に関するモード）に従って発光体をストロボ発光させるものである。測光回路５０は、撮影レンズを通して入射してきた被写体光の輝度を検出して、自動露出時の絞り値やシャッタ速度を決定するためのものである。ＡＦ回路５２は、ＡＦ投光窓およびＡＦ受光窓それぞれの中に発光体および受光体それぞれを有し、これら発光体および受光体を用いた三角測距の原理により、ＣＰＵ３０による指示により被写体までの距離を測定し、その測定結果をＣＰＵ３０に送るものである。
【００３０】
ＥＥＰＲＯＭ５４は、各時点におけるカメラ本体３の状態や各種の制御パラメータ等を記憶するものである。スイッチ群５６は、レリーズスイッチ９０、ＴＥＬＥスイッチ９２及びＷＩＤＥスイッチ９４等の撮影に関するスイッチや、ＬＣＤ３８に表示されるカメラ本体３の各種表示内容を変更する為のスイッチなどからなっている。
【００３１】
モータードライバー５８は、ＣＰＵ３０からの制御信号を受けて鏡胴駆動部６０、フィルム給送部６２、及びシャッター駆動部６４に駆動信号を出力するものである。この駆動信号を受けることにより、鏡胴駆動部６０はレンズ鏡胴の繰り出し及び繰り込みの駆動を行い、フィルム給送部６２は装填されているフィルムを順方向または逆方向に給送し、シャッター駆動部６４はシャッタの開閉駆動を行う。
【００３２】
このカメラ本体３は、所定時間操作が行われないことにより自動的にオフ状態となるが、受信部であるリモコン受信回路４６は自動オフ後の一定時間だけ給電オン状態とされており、その一定時間内においてのみリモコン２からの信号を受信できるようになっている。
【００３３】
次に、図６及び図７を参照して、カメラ本体３のＬＣＤ３８における表示内容について説明する。図６は、図５に示したＬＣＤ３８における全表示の一例を示す図である。ＬＣＤ３８は表示領域６６を有し、この表示領域６６内において、フィルムの残り枚数や使用枚数を示すフィルム枚数表示６８、電池の蓄電量を示す電池マーク表示７０、及び年、月、日、時、分に関する日時表示７２などが設けられている。
【００３４】
また、表示領域６６内には、リモコン撮影のモード（リモコンモード）であることを示すリモコンマーク表示７４や、ストロボ撮影モードを示すストロボマーク表示７６なども設けられている。なお、図６のストロボマーク表示７６は、ストロボ撮影がオフであることを示している。
【００３５】
図７は、図５に示したＬＣＤ３８における表示の一例を示す図であり、（ａ）はリモコン撮影モード時の表示内容を示しており、（ｂ）は自動オフ後の表示内容を示している。図７（ａ）に示すように、リモコン撮影モード時には、日時表示６８、電池マーク表示７０、フィルム枚数表示７２、リモコンマーク表示７４、及びストロボマーク表示７６が示されている。これに対し、図７（ｂ）に示すように、自動オフ後には、これらの表示を含むすべての表示内容が表示されていない。
【００３６】
次に、図８〜図１８を参照してカメラ本体３の動作について説明する。図８は、図１に示したカメラ本体３の基本的な制御処理の概略フローチャートである。
【００３７】
図８に示すように、先ず、Ｓ１において初期処理が行われる。初期処理は、カメラ本体３を初期の状態に設定する処理等であり、電池装填により行われる。そして、Ｓ２において、時計処理が行われる。時計処理は、ＬＣＤ３８に表示される日時のカウントアップ等に関する処理である。
【００３８】
その後、Ｓ３において分岐チェック・分岐が行われ、Ｓ４において各スイッチ処理が行われた後、Ｓ５において、ストロボ充電処理が行われる。分岐チェック・分岐は、スイッチ操作等により入力された信号を有効か否かを判断し、有効であるときに入力された信号に相当する処理へ分岐させる処理である。各スイッチ処理は、各スイッチ操作等に応じた動作を実際に行う処理である。ストロボ充電処理は、ストロボ用メインコンデンサの充電を行う処理である。
【００３９】
そして、Ｓ６において、スタンバイ処理が行われる。スタンバイ処理は、各スイッチ処理などの後、スイッチ操作が無いときに行われる処理である。その後、処理はＳ２に戻り、以降は上記した処理が繰り返されることとなる。
【００４０】
図９は、図８に示した初期処理の詳細を示すフローチャートである。図９に示すように、先ず、Ｓ１１において、ＣＰＵ３０の初期設定が行われる。次いで、ポート設定、昇圧回路ＯＮ設定、ＲＡＭ３の初期設定が行われる（Ｓ１２、Ｓ１３、Ｓ１４）。次いで、ＥＥＰＲＯＭ１４の所定のデータがＲＡＭ３に展開され（Ｓ１５）、ＥＥＰＲＯＭ１４のデータに異常があるか否かが判定される（Ｓ１６）。その際、異常なデータについては所定の値に丸め込まれる。
【００４１】
次いで、フイルムカウンタ状態チェックが行われ（Ｓ１７）、その後、Ｓ１８において、初期バルブ閉処理が行われる。初期バルブ閉処理は、カメラのレンズ鏡胴に内蔵されるシャッタを閉じる処理である。なお、フイルムカウンタ状態チェックには、フイルムカウント表示が含まれる。そして、Ｓ１９の初期ＳＭ閉処理が行われる。初期ＳＭ閉処理は、レンズ鏡胴が繰出されていた場合、当該レンズ鏡胴をカメラ本体３に繰り込み、バリアを閉じる処理である。次いで、Ｓ２０において、給送継続処理が行われる。給送継続処理は、電池が抜かれる前に給送を行っていた場合に、給送を継続させる処理である。
【００４２】
なお、以上に示す初期処理において、Ｓ１１〜Ｓ１６は、マイコンの初期設定に該当し、Ｓ１７〜Ｓ２０は、カメラ状態の初期設定に該当する。
【００４３】
図１０は、図８に示した時計処理の詳細を示すフローチャートである。図１０に示すように、先ず、Ｓ２１において、デート修正モードであるか否かが判断される。デート修正モードであると判断された場合、一連の処理は終了する。デート修正モードでないと判断された場合、処理はＳ２２に移行する。
【００４４】
Ｓ２２では、秒データが６０以上であるか否かが判断される。秒データが６０以上でないと判断された場合、一連の処理は終了する。一方、秒データが６０以上であると判断された場合、処理はＳ２３に移行する。
【００４５】
Ｓ２３では、秒データの値から６０を引いた値が算出され、新たな秒データとされる。そして、処理はＳ２４に移行する。Ｓ２４では、時計カウントアップ処理が行われる。ここでは、「分」「時」「日」「月」「年」の更新が行われる。そして、Ｓ２５に移行し、デート表示が行われる。ここでは、日時がカメラ本体３のＬＣＤ３８における日時表示７２に数値として表示される。そして、一連の処理が終了する。
【００４６】
図１１は、図８に示した各スイッチ処理の一例を示すフローチャートである。なお、ここではスイッチ処理の一例としてＳＭスイッチ処理を説明する。ＳＭスイッチ処理は、カメラ本体３のメインスイッチ（パワースイッチ）が押されたときに行われる処理であり、先ず、図１１のＳ２６において、レンズ鏡胴が沈胴位置にあるか否かが判断される。レンズ鏡胴が沈胴位置にあると判断された場合、処理はＳ２７に移行し、ＳＭ開処理が行われる。ＳＭ開処理は、カメラ本体３をオフ状態からオン状態にする処理である。ここで、「オフ状態」とは、撮影不可能な状態を意味し、「オン状態」とは、撮影可能な状態を意味する。そして、処理はＳ２９に移行する。一方、レンズ鏡胴が沈胴位置にないと判断された場合、処理はＳ２８に移行し、ＳＭ閉処理が行われる。ＳＭ閉処理は、カメラ本体３をオン状態からオフ状態にする処理である。そして、処理はＳ２９に移行する。
【００４７】
Ｓ２９では、メインスイッチが押されているか否かが判断される。メインスイッチが押されていると判断されたときには、繰り返してこの処理が行われる。一方、メインスイッチが押されていないと判断されたときには、一連の処理は終了する。
【００４８】
図１２は、図８のスタンバイ処理の詳細を示すフローチャートである。先ず、図１２に示すように、Ｓ３０において、時計処理が行われる。この時計処理は、図１０を参照して説明したものと同様である。
【００４９】
そして、Ｓ３１において、リモコン２からの信号を受信したか否かが判断される。リモコン２からの信号を受信したと判断された場合、処理はＳ３６に移行し、ＣＰＵ３０内でカウントされているオートオフタイマー値がリセットされ、一連の処理が終了する。一方、リモコン２からの信号を受信しなかったと判断した場合、処理はＳ３２に移行する。
【００５０】
Ｓ３２では、スイッチ群５６のうちのいずれかのスイッチが操作されたか否かが判断される。スイッチが操作されたと判断された場合、処理はＳ３６に移行し、ＣＰＵ３０内でカウントされているオートオフタイマー値がリセットされ、一連の処理が終了する。一方、スイッチが操作されなかったと判断した場合、処理はＳ３３に移行する。
【００５１】
Ｓ３３では、ＳＭ開状態か否かが判断される。ＳＭ開状態でないと判断された場合、処理はＳ３４に移行し、オートオフタイマーのカウントが開始される。そして、処理はＳ３５に移行し、オートオフ時間（所定時間）が経過したか否かが判断される。オートオフ時間が経過していないと判断された場合、処理はＳ３０に戻ることとなる。オートオフ時間が経過したと判断された場合、処理はＳ３６に移行し、ＣＰＵ３０内でカウントされているオートオフタイマー値がリセットされ、一連の処理が終了する。
【００５２】
なお、Ｓ３１においてリモコン２からの信号を受信したと判断された場合（ＹＥＳの場合）及びＳ３２においてスイッチが操作されたと判断された場合（ＹＥＳの場合）に行われるオートオフタイマー値のリセットと、Ｓ３５においてオートオフ時間が経過したと判断された場合（ＹＥＳの場合）のオートオフタイマー値のリセットとは、その意味が異なる。すなわち、Ｓ３１又はＳ３２においてＹＥＳと判断された場合のオートオフタイマー値のリセットは、オートオフ時間経過前に行われるものであり、リモコン２又はカメラ本体３に何らかの操作を行ったため、自動的にカメラ本体３がオフ状態とならないように値を「０」等に戻すものである。一方、Ｓ３５においてＹＥＳと判断された場合のオートオフタイマー値のリセットは、オートオフ時間経過後に行われるものであり、自動オフを行う準備の意味で値を「０」等に戻すものである。
【００５３】
また、Ｓ３３でＳＭ開状態であると判断された場合、処理はＳ３７に移行する。Ｓ３７では、リモコンモードであるか否かが判断される。リモコンモードでないと判断された場合、処理はＳ３１に戻る。リモコンモードであると判断された場合、処理はＳ３８に移行する。
【００５４】
Ｓ３８では、リモコン保持タイマーのカウントが開始される。そして、処理はＳ３９に移行する。Ｓ３９では、リモコン保持時間が経過したか否かが判断される。リモコン保持時間が経過していないと判断された場合、処理はＳ３０に戻る。リモコン保持時間が経過していると判断された場合、処理はＳ４０に移行する。そして、Ｓ４０において、リモコン保持タイマー値のリセットが行われた後、図１５のリモコン保持タイマ経過処理に移行する。
【００５５】
このリモコン保持時間中において、カメラ本体３は、リモコン２からの信号を受け付ける状態となっており、時間経過後ではリモコン２からの信号を受け付ない状態になる。
【００５６】
次に、自動オフ処理（オートオフ処理）について説明する。すなわち、オートオフ時間が経過した場合の処理について説明する。図１３は、図１に示したカメラ本体３の自動オフ処理を示すフローチャートである。
【００５７】
先ず、Ｓ４１において、デート修正モードであるか否かが判断される。デート修正モードであると判断された場合、処理はＳ４２に移行する。Ｓ４２では、日時情報の更新が行われる。そして、処理はＳ４３に以降し、Ｓ４３において、デート修正モードのリセットが行われる。すなわち、デート修正モードから通常のモードへの移行が行われる。その後、処理はＳ４４に移行する。一方、Ｓ４１において、デート修正モードでないと判断された場合、処理はＳ４４に移行する。
【００５８】
Ｓ４４では、レンズ鏡胴が沈胴位置にあるか否かが判断される。レンズ鏡胴が沈胴位置にある場合、一連の処理は終了する。レンズ鏡胴が沈胴位置にない場合、Ｓ４５において、ＳＭ閉処理が行われ、その後、一連の処理は終了する。
【００５９】
次に、ＳＭ開処理について図１４を参照して説明する。図１４は、図１に示したカメラ本体３のＳＭ開処理を示すフローチャートである。ＳＭ開処理では、先ず、Ｓ５０において、バッテリチェックが行われる。この処理は、カメラ本体３の電池の電圧値をチェックする処理である。チェック後、処理はＳ５１に移行する。Ｓ５１では、バッテリの電圧値がＮＧであるか否かが判断される。バッテリの電圧値がＮＧであると判断された場合、処理はＳ５４に移行する。一方、バッテリの電圧値がＮＧでないと判断された場合、処理はＳ５２に移行する。
【００６０】
Ｓ５２では、フィルム枚数が表示される。ここでは、フィルム枚数がカメラ本体３のＬＣＤ３８におけるフィルム枚数表示６８に数値として表示される。そして、処理はＳ５３に移行し、繰出処理が行われる。ここでは、モータードライバー７６からの駆動信号を受けた鏡胴駆動部７８がレンズ鏡胴の繰出を行う。そして、処理はＳ５４に移行する。
【００６１】
Ｓ５４では、繰出処理がＯＫか否かが判断される。すなわち、正常にレンズ鏡胴が繰出されたか否かが判断される。ここでの判断は、例えば、予め設定されたＷＩＤＥ位置までレンズ鏡胴が繰出されているか否かによって行われる。繰出処理がＯＫであると判断された場合、Ｓ５５に移行する。
【００６２】
Ｓ５５では、リモコン保持フラグがセットされているか否かが判断される。リモコン保持フラグがセットされていないと判断された場合、処理はＳ５９に移行する。リモコン保持フラグがセットされていると判断された場合、処理はＳ５６に移行する。
【００６３】
そして、鏡胴駆動位置が記憶位置としてセットされ（Ｓ５６）、ズーム駆動処理が行われ（Ｓ５７）、ズーム駆動位置が正常か否かが判断される（Ｓ５８）。ズーム駆動位置が正常でないと判断された場合にはＳ６２に移行し、ズーム駆動位置が正常であると判断された場合には処理はＳ５９に移行する。
【００６４】
Ｓ５９では、撮影モードの表示が行われる。この表示は、ストロボ発光態様等に関するモードの表示である。そして、処理はＳ６０に移行し、デート表示が行われる。ここでは、日時がカメラ本体３のＬＣＤ３８における日時表示７２に数値として表示される。その後、処理はＳ６１に移行し、各スイッチ（スイッチ群５６の各スイッチ）が入力可能状態とされる。そして、一連の処理は終了する。
【００６５】
一方、Ｓ５４において、繰出処理がＯＫでないと判断された場合、処理はＳ６２に移行する。Ｓ６２では、リモコン保持フラグがセットされているか否かが判断される。リモコン保持フラグがセットされていないと判断された場合、処理はＳ６８に移行する。リモコン保持フラグがセットされていると判断された場合、処理はＳ６３に移行する。
【００６６】
Ｓ６３では、リモコン保持フラグがリセットされ、その後、Ｓ６４において、ストロボモードがＰＲＥモードであるか否かが判断される。ストロボモードがＰＲＥモードであると判断された場合、処理はＳ６６に移行する。ストロボモードがＰＲＥモードでないと判断された場合、処理はＳ６５に移行し、ストロボモードがＡＵＴＯモードにセットされ、処理はＳ６６に移行する。なお、ＰＲＥモードとはレリーズ直前にストロボ発光させる赤目軽減モードであり、ＡＵＴＯモードとは撮影環境に応じて自動的にストロボ発光させる自動発光モードである。
【００６７】
そして、Ｓ６６において、リモコンモードがリセットされ、Ｓ６７において、リモコン受信回路４６がオフされ、処理はＳ６８に移行する。Ｓ６８では、各スイッチが入力不可状態とされる。そして、一連の処理は終了する。なお、各スイッチの入力可能及び不可能の切替は、各スイッチに該当するポートをＩＮ及びＯＵＴ間で切り替えることによってなされる。
【００６８】
次に、リモコン保持タイマ経過処理及びＳＭ閉処理について図１５，１６を参照して説明する。図１５及び図１６は、カメラ本体３におけるリモコン保持タイマ経過処理及びＳＭ閉処理を示すフローチャートである。
【００６９】
リモコン保持タイマ経過処理では、先ず、Ｓ７０において、リモコン保持フラグがリセットされ、その後、Ｓ７１において、ストロボモードがＰＲＥモードであるか否かが判断される。ストロボモードがＰＲＥモードであると判断された場合、処理はＳ７３に移行する。ストロボモードがＰＲＥモードでないと判断された場合、処理はＳ７２に移行し、ストロボモードがＡＵＴＯモードにセットされ、処理はＳ７３に移行する。そして、Ｓ７３において、リモコンモードがリセットされ、Ｓ７４において、リモコン受信回路４６がオフされ、処理はＳ８２に移行する。
【００７０】
ＳＭ閉処理では、先ず、リモコンモードであるか否かが判断される。リモコンモードでないと判断された場合、処理はＳ７６に移行し、Ｓ７６において、ストロボモードがＰＲＥモードであるか否かが判断される。ストロボモードがＰＲＥモードであると判断された場合、処理はＳ７８に移行する。ストロボモードがＰＲＥモードでないと判断された場合、処理はＳ７７に移行し、ストロボモードがＡＵＴＯモードにセットされ、処理はＳ７８に移行する。そして、Ｓ７８において、セルフモードがリセットされる。そして、処理はＳ８２に移行する。
【００７１】
一方、リモコンモードであると判断された場合には、Ｓ７９に移行し、リモコン保持フラグがセットされる。そして、Ｓ８０において、レンズ鏡胴の位置が記憶される。そして、Ｓ８１において、リモコン保持タイマーのカウントが開始され、Ｓ８２に移行する。なお、リモコン保持タイマー経過処理及びＳＭ閉処理の双方において、Ｓ８２以降の処理は同じである。
【００７２】
そして、Ｓ８２にて充電完了がリセットされ、Ｓ８３にてＣＬＯＳＥ処理が行われ、その後、図１６のＳ８４に移行する。ＣＬＯＳＥ処理とは、鏡胴を沈胴位置に繰り込むなどする処理である。
【００７３】
Ｓ８４では、レンズ鏡胴が沈胴位置にあるか否かが判断される。レンズ鏡胴が沈胴位置にあると判断された場合、Ｓ８５に移行し、ＳＭ状態が閉コードにセットされる。そして、処理はＳ８６に移行してＬＣＤ３８が消灯され、処理はＳ８７に移行する。Ｓ８７では、各スイッチ（スイッチ群５６の各スイッチ）が入力不可状態とされる。その後、一連の処理は終了する。なお、Ｓ８６において、ＬＣＤ３８が消灯した状態は、図７（ｂ）に示したものと同様である。
【００７４】
一方、レンズ鏡胴が沈胴位置にないと判断された場合、処理はＳ８８に移行し、リモコン保持フラグがセットされているか否かが判断される。リモコン保持フラグがセットされていないと判断された場合、処理はＳ９４に移行する。リモコン保持フラグがセットされていると判断された場合、処理はＳ８９に移行する。
【００７５】
Ｓ８９では、リモコン保持フラグがリセットされ、その後、Ｓ９０において、ストロボモードがＰＲＥモードであるか否かが判断される。ストロボモードがＰＲＥモードであると判断された場合、処理はＳ９２に移行する。ストロボモードがＰＲＥモードでないと判断された場合、処理はＳ９１に移行し、ストロボモードがＡＵＴＯモードにセットされ、処理はＳ９２に移行する。そして、Ｓ９２において、リモコンモードがリセットされ、Ｓ９３において、リモコン受信回路４６がオフされ、処理はＳ９４に移行する。
【００７６】
Ｓ９４では、ＳＭ状態が開コードにセットされる。その後、処理はＳ９５に移行し、各スイッチが入力可能状態とされる。そして、一連の処理は終了する。
【００７７】
次に、カメラ本体３がリモコン２からの信号を受信した場合のリモコン受信処理について図１７を参照して説明する。図１７は、図１に示したカメラ本体３のリモコン受信処理を示すフローチャートである。
【００７８】
図１７に示すように、先ず、Ｓ１００において、ヘッダーコードが受信されたか否かが判断される。ヘッダーコードが受信されなかったと判断された場合、ヘッダーコードが受信されるまでは、カメラ本体３は、この判断を繰り返すこととなる。ヘッダーコードが受信されたと判断された場合、処理はＳ１０１に移行する。Ｓ１０１では、カウンタの数値が「０」にセットされる。
【００７９】
カウンタ数値セット後、処理はＳ１０２に移行する。Ｓ６２ではコードの受信が行われる。そして、Ｓ１０３に移行し、カウンタの数値に「１」が加えられる。その後、処理はＳ１０４に移行し、レリーズコードであるか否かが判断される。ここで、カウンタの数値が「１」となっている場合、１番目のコードがレリーズコードであるか否かが判断されることとなる。
【００８０】
レリーズコードであると判断された場合、Ｓ１０６に移行し、レリーズ処理が行われる。その後、処理は終了する。一方、レリーズコードでないと判断された場合、Ｓ１０５に移行し、パワーオンコードであるか否かが判断される。ここで、カウンタの数値が「１」となっている場合、１番目のコードがパワーオンコードであるか否かが判断されることとなる。
【００８１】
パワーオンコードであると判断された場合、Ｓ１０７に移行し、ＳＭ開処理が行われる。一方、パワーオンコードでないと判断された場合、Ｓ１０８に移行し、カウンタの数値が「２」であるか否かが判断される。カウンタの数値が「２」でないと判断された場合、処理はＳ１０２に戻る。カウンタの数値が「２」であると判断された場合、一連の処理は終了する。
【００８２】
以上のように、本実施形態に係るカメラシステムによれば、カメラ本体３が自動オフ機能を有しているので、操作されないままオン状態で長時間放置されることがない。また、カメラ本体３は自動オフ後にリモコン２からのパワーオン信号を受信可能であるので、たとえリモコン撮影の際に自動的にオフ状態（撮影不可能状態）となってしまっても、撮影者はリモコン２を操作することによりカメラ本体３をオン状態（撮影可能状態）にすることができる。このため、カメラ本体３の位置まで移動してオン状態にするという煩雑な作業が不要である。従って、カメラ本体３の省電力化が図れると共に、その利便性の向上が図れる。
【００８３】
なお、本実施形態では、パワーオン信号を送信するパワーオン信号送信スイッチ２０ａと、レリーズ信号を送信するレリーズ信号送信スイッチ２０ｂとが別々に設けられる例を説明したが、本発明はこれに限られるものではなく、パワーオン信号送信スイッチ２０ａとレリーズ信号送信スイッチ２０ｂを一体化し一つのスイッチとしてもよい。
【００８４】
【発明の効果】
以上詳細に説明したように本発明によれば、利便性を向上し電力の消費を抑制することができる。
【図面の簡単な説明】
【図１】本実施形態に係るカメラシステムの構成を示す斜視図である。
【図２】図１に示したリモコンの構成を示すブロック図である。
【図３】図１に示したリモコンの一部構成を示す外観図である。
【図４】リモコンから送信される信号を説明する図であり、（ａ）はレリーズ信号を示し、（ｂ）はパワーオン信号を示している。
【図５】図１に示したカメラ本体の構成を示すブロック図である。
【図６】図１に示したカメラ本体の一部構成を示す図である。
【図７】図５に示したＬＣＤにおける表示の一例を示す図であり、（ａ）はリモコン撮影モード時の表示内容を示しており、（ｂ）は自動電源オフ後の表示内容を示している。
【図８】図１に示したカメラ本体の基本的な制御処理の概略フローチャートである。
【図９】図８に示した初期処理の詳細を示すフローチャートである。
【図１０】図８に示した時計処理の詳細を示すフローチャートである。
【図１１】図８に示した各スイッチ処理の一例の詳細を示すフローチャートである。
【図１２】図８に示したスタンバイ処理の詳細を示すフローチャートである。
【図１３】図１に示したカメラ本体の自動オフ処理を示すフローチャートである。
【図１４】図１に示したカメラ本体のＳＭ開処理を示すフローチャートである。
【図１５】図１に示したカメラ本体のリモコン保持タイマー経過処理及びＳＭ閉処理を示すフローチャートであり、前半部分を示している。
【図１６】図１に示したカメラ本体３のリモコン保持タイマー経過処理及びＳＭ閉処理を示すフローチャートであり、後半部分を示している。
【図１７】図１に示したカメラ本体のリモコン受信処理を示すフローチャートである。
【符号の説明】
１…カメラシステム、２…リモコン、３…カメラ本体、２０…スイッチ群、２０ａ…パワーオン信号送信スイッチ、２０ｂ…レリーズ信号送信スイッチ、３８…ＬＣＤ、４６…リモコン受信回路。
【図１】
2004138903.tif 000003
【図２】
2004138903.tif 000004
【図３】
2004138903.tif 000005
【図４】
2004138903.tif 000006
【図５】
2004138903.tif 000007
【図６】
2004138903.tif 000008
【図７】
2004138903.tif 000009
【図８】
2004138903.tif 000010
【図９】
2004138903.tif 000011
【図１０】
2004138903.tif 000012
【図１１】
2004138903.tif 000013
【図１２】
2004138903.tif 000014
【図１３】
2004138903.tif 000015
【図１４】
2004138903.tif 000016
【図１５】
2004138903.tif 000017
【図１６】
2004138903.tif 000018
【図１７】
2004138903.tif 000019